(57)【要約】【課題】  シートに腰掛けて自転車のようにペダル漕ぎをするペダル漕ぎ装置について、設置場所が制約されずしかもシートの腰掛け心地が良好でペダル漕ぎに支障が生じないようにする。【解決手段】  背もたれ１２を有するシート１と、シート１に腰掛けた使用者がペダル漕ぎをするペダル部３とを備えている。シート１は、使用者の臀部を受ける後部から先細形に前部に延びる自伝車のサドルのような形状に形成されている。シート１の背もたれ１２は、使用者の腰付近までを支える高さＨで使用者の体側まで囲む形状とされている。シート１を支持する脚部２は、シート１の底面から直線状に延びた単一の柱形とされている。ペダル部３は、脚部２の中途部に取付けられている。【選択図】図１
0003166078.tif 000002
【実用新案登録請求の範囲】
【請求項１】
背もたれを有するシートと、シートに腰掛けた使用者がペダル漕ぎをするペダル部とを備えたペダル漕ぎ装置において、シートは使用者の臀部を受ける後部から先細形に前部に延びる自伝車のサドルのような形状に形成され、シートの背もたれは使用者の腰付近までを支える高さで使用者の体側まで囲む形状とされ、シートを支持する脚部はシートの底面から直線状に延びた単一の柱形とされ、ペダル部は脚部の中途部に取付けられていることを特徴とするペダル漕ぎ装置。
【請求項２】
請求項１のペダル漕ぎ装置において、シートは前部側の一部が下方へ回動可能であることを特徴とするペダル漕ぎ装置。
【請求項３】
請求項１または２のペダル漕ぎ装置において、ペダル部はペダル漕ぎの負荷を調整する負荷調整機構を備え、負荷調整機構はシートに腰掛けた使用者が手を下方に伸ばして操作できる操作部を有していることを特徴とするペダル漕ぎ装置。
【考案の詳細な説明】
【技術分野】
【０００１】
本考案は、シートに腰掛けて自転車のようにペダル漕ぎをするペダル漕ぎ装置に係る技術分野に属する。
【背景技術】
【０００２】
最近、健康機械器具，トレーニング装置としてペダル漕ぎ装置が普及してきている。このペダル漕ぎ装置は、身体にある程度負荷を掛けることを目的とするものであることから、シートの腰掛け心地に考慮が払われておらず、長時間の使用では疲れやすいという不具合がある。このため、ペダル漕ぎ装置において、健康機械器具，トレーニング装置以外に用途を拡大することができるように、シートの腰掛け心地を改良することが要望されている。
【０００３】
従来、シートの腰掛け心地を改良することを指向したペダル漕ぎ装置としては、例えば、特許文献１に記載のものが知られている。
【０００４】
特許文献１には、背もたれを有するシートと、シートに腰掛けた使用者がペダル漕ぎをするペダル部とを備えたペダル漕ぎ装置が記載されている。
【０００５】
特許文献１に係るペダル漕ぎ装置は、シートに背もたれを設けることで、シートの腰掛け心地を良好にして、長時間の使用でも疲れないようにするものである。
【先行技術文献】
【特許文献】
【０００６】
【特許文献１】実用新案登録第３０８６１１６号公報
【考案の概要】
【考案が解決しようとする課題】
【０００７】
特許文献１に係るペダル漕ぎ装置では、シートの背もたれが背中まで支える大型に形成され、シートの背もたれの大型化にともなってシートを支持する脚部も大型に形成されて、設置スペースを広く確保しなければならない構造となっているため、設置場所が制約されてしまうという問題点がある。また、シートが使用者の臀部から大腿上部までを受けるように平面が方形に形成されているため、ペダル漕ぎの足の動作が阻害されてペダル漕ぎに支障が生じてしまうという問題点がある。
【０００８】
本考案は、このような問題点を考慮してなされたもので、設置場所が制約されずしかもシートの腰掛け心地が良好でペダル漕ぎに支障が生じないペダル漕ぎ装置を提供することを課題とする。
【課題を解決するための手段】
【０００９】
前述の課題を解決するため、本考案に係るペダル漕ぎ装置は、実用新案登録請求の範囲の各請求項に記載の手段を採用する。
【００１０】
即ち、請求項１では、背もたれを有するシートと、シートに腰掛けた使用者がペダル漕ぎをするペダル部を備えたペダル漕ぎ装置において、シートは使用者の臀部を受ける後部から先細形に前部に延びる自伝車のサドルのような形状に形成され、シートの背もたれは使用者の腰付近までを支える高さで使用者の体側まで囲む形状とされ、シートを支持する脚部はシートの底面から直線状に延びた単一の柱形とされ、ペダル部は脚部の中途部に取付けられていることを特徴とする。
【００１１】
この手段では、シートが自伝車のサドルのような形状に形成されることで、ペダル漕ぎの足の動作が阻害されることがなくなる。また、シートの背もたれが使用者の体側まで囲む形状とされることで、シートの背もたれを使用者の腰付近までを支える高さとしても、背もたれとしての機能を喪失しないようにしている。また、シートの背もたれが使用者の腰付近までを支える高さとされ、脚部がシートの底面から直線状に延びた単一の柱形とされ、ペダル部が脚部の中途部に取付けられることで、全体の小型化が図られている。
【００１２】
また、請求項２では、請求項１のペダル漕ぎ装置において、シートは前部側の一部が下方へ回動可能であることを特徴とする。
【００１３】
この手段では、シートの前部側の一部が下方へ回動可能とされることで、シートの前後方向の長さに可変性がもたらされる。
【００１４】
また、請求項３では、請求項１または２のペダル漕ぎ装置において、ペダル部はペダル漕ぎの負荷を調整する負荷調整機構を備え、負荷調整機構はシートに腰掛けた使用者が手を下方に伸ばして操作できる操作部を有していることを特徴とする。
【００１５】
この手段では、ペダル部に設けられた負荷調整機構の操作部がシートに腰掛けた使用者の手に届く位置にあることで、ペダル漕ぎを継続したままペダル漕ぎの負荷を調整することができる。
【考案の効果】
【００１６】
本考案に係るペダル漕ぎ装置は、シートが自伝車のサドルのような形状に形成されることで、ペダル漕ぎの足の動作が阻害されることがなくなるため、ペダル漕ぎに支障が生じない効果がある。また、シートの背もたれが使用者の体側まで囲む形状とされることで、シートの背もたれを使用者の腰付近までを支える高さとしても、背もたれとしての機能を喪失しないようにしているため、シートの腰掛け心地が良好となる効果がある。また、シートの背もたれが使用者の腰付近までを支える高さとされ、脚部がシートの底面から直線状に延びた単一の柱形とされ、ペダル部が脚部の中途部に取付けられることで、全体の小型化が図られているため、設置場所が制約されなくなる効果がある。
【００１７】
さらに、請求項２として、シートの前部側の一部が下方へ回動可能とされることで、シートの前後方向の長さに可変性がもたらされるため、シートの前後方向の長さを短縮して乗降りを容易にすることができる効果がある。
【００１８】
さらに、請求項３として、ペダル部に設けられた負荷調整機構の操作部がシートに腰掛けた使用者の手に届く位置にあることで、ペダル漕ぎを継続したままペダル漕ぎの負荷を調整することができるため、ペダル漕ぎの負荷の調整が容易になる効果がある。
【図面の簡単な説明】
【００１９】
【図１】本考案に係るペダル漕ぎ装置を実施するための形態の第１例の一部断面の側面図である。
【図２】図１の平面図である。
【図３】図１の要部の拡大図であり、（Ａ），（Ｂ）に異なる動作状態が示されている。
【図４】図１の他の要部の拡大縦断面図であり、（Ａ），（Ｂ）に異なる動作状態が示されている。
【図５】本考案に係るペダル漕ぎ装置を実施するための形態の第２例の要部の側面図である。
【考案を実施するための形態】
【００２０】
以下、本考案に係るペダル漕ぎ装置を実施するための形態を図面に基づいて説明する。
【００２１】
図１〜図４は、本考案に係るペダル漕ぎ装置を実施するための形態の第１例を示すものである。
【００２２】
第１例では、パチンコ台等の遊戯台の座席として設置するに好適なものを示してある。
【００２３】
第１例は、図１，図２に示すように、シート１，脚部２，ペダル部３，負荷調整機構４の各部で構成されている。
【００２４】
シート１は、金属材の骨材１ａを合成樹脂材の表面材ｂで覆う断面構造とされ、使用者の体重を支える座面１１と使用者の背部を支える背もたれ１２とが設けられている。
【００２５】
シート１の座面１１は、使用者の臀部を受ける後部１１ａから先細形に前部１１ｂに延びる自伝車のサドルのような形状に形成されている。ただし、後部１１ａは、使用者の臀部のほぼ全体と大腿の上部とを受けることができるように、自伝車のサドルよりも幅（前後方向に直交する方向の幅）Ｗが広く形成されている。後部１１ａ，前部１１ｂの中途部は、骨材１ａ，表面材ｂともに幅方向に延びる直線に沿って切断されている。前部１１ｂ側の一部は、骨材１ａに取付けられたヒンジ１３で下方へ回動可能になっている。骨材１ａの切断部分には、骨材１ａの水平状態を保持するためのロック機構１４が設けられている。ロック機構１４は、骨材１ａの切断部分の後部１１ａ側に取付けられた弾性Ｃ字形片からなるキャッチャ１４ａと、骨材１ａの切断部分の前部１１ｂ側に取付けられたピン１４ｂとからなるもので、キャッチャ１４ａ，ピン１４ｂの係合で骨材１ａの水平状態を保持し（図３（Ａ）参照）、キャッチャ１４ａを弾性変形させてピン１４ｂの係合を離脱させることで骨材１ａの前部１１ｂ側の一部を下方へ回動させることができるようになっている（図３（Ｂ）参照）。
【００２６】
シート１の背もたれ１２は、使用者の腰付近までを支える高さＨで使用者の体側まで囲む平面形状がコ字形の形状に形成されている。背もたれ１２には、必要に応じて安全性を確保するためのシートベルト１５が取付けられる。
【００２７】
脚部２は、パイプ材からなる本体部２１の下端部に設置面に当接される円板形のベース部２２が取付けられている。この脚部２は、本体部２１の上端部がシート１の骨材１ａの後部１１ａ側に固定されることで、シート１の底面から直線状に延びた単一の柱形とされている。
【００２８】
ペダル部３は、脚部２の本体部２１の中途部に固定された支持アーム３１にケーシング３２が支持されている。支持アーム３１は、脚部２の本体部２１に直交してシート１の座面１１の前部１１ｂ方向へ延びている。ケーシング３２は、ドラム形に形成されてシート１の座面１１の前部１１ｂ側の斜め下方に位置され、中心部に支持アーム３１に直交して水平方向へ延びた回転軸３３を回転可能に支持している。回転軸３３には、両端部にペダル３４が取付けられている。尚、支持アーム３１には、ケーシング３２、回転軸３３等の前方に延びた部位が破損した場合を考慮して、途中にカッポリングを介設して、交換自在としても良い。
【００２９】
負荷調整機構４は、図４に詳細に示されるように、ペダル部３の回転軸３３に固定された回転板４１と、回転板４１を両面から摩擦する摩擦部材４２と、相対する摩擦部材４２を支持して昇降されるコ字形のスライダ４３と、スライダ４３を昇降操作する操作部４４と、回転板４１に相対するように配置されてスライダ４３の昇降を案内するガイド４５とからなる。操作部４４は、スライダ４３に螺合されペダル部３のケーシング３２から上方へ突出されたネジ棒４４ａと、ネジ棒４４ａの上端部に固定されシート１に腰掛けた使用者が手を下方に伸ばしてネジ棒４４ａを回転操作できるダイヤル形の操作ダイヤル４４ｂとからなる。この負荷調整機構４は、回転板４１，摩擦部材４２の摩擦面積の増減でペダル漕ぎの負荷を増減する。
【００３０】
第１例によると、シート１の座面１１が自伝車のサドルのような形状に形成され、ペダル漕ぎの足の動作が阻害されることがなくなる。従って、ペダル漕ぎに支障を生じることがない。
【００３１】
さらに、シート１の背もたれ１２が使用者の体側まで囲む形状とされ、使用者の体の横ずれを防止している。従って、シート１の背もたれ１２の高さを使用者の腰付近までを支える程度としても、使用者の背部を支える背もたれとしての機能を喪失することがない。また、シート１の座面１１の後部側１１ａの幅Ｗが広く確保されている。この結果、シートの腰掛け心地が良好となる。
【００３２】
さらに、シート１の背もたれ１２が使用者の腰付近までを支える高さＨとされ、脚部２がシート１の底面から直線状に延びた単一の柱形とされ、ペダル部３脚部２の中途部に取付けられることで、全体の小型化が図られている。従って、設置場所が制約されなくなる。
【００３３】
第１例を使用する際には、シート１の座面１１の前方側１１ｂを下方へ強く押してロック機構１４のキャッチャ１４ａからピン１４ｂの係合を離脱させることで、シート１の座面１１の前方側１１ｂの一部を下方へ回動させてシート１の前後方向の長さを短縮して前方を広く開放させると、シート１に対する乗降りが容易になる。
【００３４】
第１例によると、パチンコ台等の遊戯台の座席として間隔を狭めて設置されても、シート１に対する乗降りが容易であることから、隣接する座席の使用者と接触するようなことはない。また、パチンコ等を長時間遊戯したとしても、シート１の良好な腰掛け心地から腰が痛くなったりするのを防止することができる。なお、シート１のロック機構１４があまり使用者の体重が掛からない位置にあるため、シート１の座面１１の前方側１１ｂが不測に下方へ回動されることはない。また、パチンコ等の遊戯が飽きた場合には、シート１の座面１１が自伝車のサドルのような形状であるため、健康機械器具，トレーニング装置と何等遜色のないペダル漕ぎを行うことができる。また、ペダル漕ぎの際には、手を下に伸ばして負荷調整機構４の操作部４４を操作することで、負荷を簡単，自由に調整することができる。
【００３５】
図５は、本考案に係るペダル漕ぎ装置を実施するための形態の第２例を示すものである。
【００３６】
第２例は、第１例の脚部２の本体部２１の下端部にアンカ２３を固定して設置面Ｆに埋込み設置するようにしてある。
【００３７】
第２例によると、シート１の移動性が損なわれるが、前述のシート１に対する乗降りの容易性から何等支障なく使用することができる。特に、パチンコ台等の遊戯台の座席として設置する場合には、使用者（客）の入替わりで座席の配置が乱雑になるのを防止することができる。
【００３８】
以上、図示した各例の外に、シート１のロック機構１４をシート１の側部に取付けた操作レバー等で操作できるように構成することも可能である。
【００３９】
さらに、脚部２に伸縮構造等による高さ調整機能を備えることも可能である。
【産業上の利用可能性】
【００４０】
本考案に係るペダル漕ぎ装置は、パチンコ台等の遊戯台の座席以外に、健康機械器具，トレーニングを始め他の広範な用途に供することができる。  
【符号の説明】
【００４１】
１            シート
１１          座面
１１ａ        後部
１１ｂ        前部
１２          背もたれ
２            脚部
３            ペダル部
４            負荷調整機構
４４          操作部
【図１】
0003166078.tif 000003
【図２】
0003166078.tif 000004
【図３】
0003166078.tif 000005
【図４】
0003166078.tif 000006
【図５】
0003166078.tif 000007